(57)【要約】【課題】所定の許可操作に基づいて通行管理を的確に遂行できる出入管理装置を得る。【解決手段】ビルやその他の建物における扉等の電気錠１１２，１１４による施錠部分の通行に所定の権限を持つ許可権者の許可を要する部外者等の通行許可対象個体をカード識別による個体情報の識別により特定するための特定区分処理を行うカード読込装置１１１，１１３および出入制御装置１１０からなる特定手段ＰＭを備え、特定手段ＰＭによる特定結果を許可権者に報知する外部機器１１５からなる報知手段を設けるとともに、許可権者の許可操作によって通行許可対象個体の通行を可能とするように電気錠１１２，１１４による施錠部分の解錠動作を行うようにした。【選択図】図１
2006177084.tif 000002
【特許請求の範囲】
【請求項１】
施錠部分の通行に所定の権限を持つ許可権者の許可を要する通行許可対象個体を個体情報の識別により特定する特定手段を備え、前記特定手段による特定結果を前記許可権者に報知する報知手段を設けるとともに、前記許可権者の許可操作によって前記通行許可対象個体の通行を可能とする解錠動作を行うようにしたことを特徴とする出入管理装置。
【請求項２】
室外に設けられ個体情報を参照して個体を識別する認証手段と、前記認証手段による認証によって識別された個体の通行可否を判別する管理手段と、前記管理手段の判別結果に応じて入室を可能とする電気錠を制御する制御手段と、前記認証手段によって個体情報の参照により入室しようとする特定の個体を区別する特定動作を行う特定手段とを備え、前記特定手段により区別された個体については前記特定手段による特定結果を報知する報知手段によって所定の在室者に報知する報知手段を設けるとともに、前記所定の在室者の許可操作によって前記電気錠を解錠するようにしたことを特徴とする請求項１に記載の出入管理装置。
【請求項３】
室内に設けられ個体情報を参照して個体を識別する認証手段と、前記認証手段による認証によって識別された個体の通行可否を判別する管理手段と、前記管理手段の判別結果に応じて退室を可能とする電気錠を制御する制御手段と、前記認証手段によって個体情報の参照により退室しようとする特定の個体を区別する識別動作を行う特定手段を備え、前記特定手段により区別された個体については前記特定手段による特定結果を所定の在室者に報知する報知手段を設けるとともに、前記所定の在室者の許可操作によって前記電気錠を解錠するようにしたことを特徴とする請求項１または請求項２に記載の出入管理装置。
【請求項４】
前記特定された個体について所定の在室者が許可操作したことを履歴に記録する履歴記録手段を設けたことを特徴とする請求項１から請求項３までのいずれかに記載の出入管理装置。
【発明の詳細な説明】
【技術分野】
【０００１】
この発明は、人や物の出入りを管理する出入管理装置に関するものである。
【背景技術】
【０００２】
近年、ビルや建物の扉にカード読取装置や電気錠を備えカードの識別番号によりそのカードを所持する人や物が通行してよいかを判別して扉の電気錠を制御するような出入管理装置（セキュリティシステム）が普及してきている（例えば、特許文献１および特許文献２参照）。
【０００３】
【特許文献１】特開平５−３２１５２４号公報
【特許文献２】特開平７−９１１２２号公報
【発明の開示】
【発明が解決しようとする課題】
【０００４】
上記のように従来技術によれば、通行権限が与えられたカードを操作すれば電気錠を解錠し通行することができる。しかしながら、部屋の重要度によっては部屋が無人の場合に、例えば、清掃業者などの部外者がカード操作だけで簡単に入室できてしまうのは好ましくない。また、部外者間で不当に貸借されたカードであっても、このカードでの通行は可能である。そして、部外者が退室する際、室内の重要書類などを持ち出すことも考えられる。
【０００５】
従来技術においても、在室管理を行って、無人であれば部外者を入退室できないようにしたり、退室した結果残っている者が部外者だけになるような状況を回避するために、特別な通行権限を設定できるように工夫されたものがある。しかし、この場合には、データ管理上の無人状態や、残っている者と判定するため、共連れなどにより情報と実態に相違があった場合には確実に通行を禁止することができない。
また、従来技術でも、入室，退室時に複数人を認証し、その結果によって電気錠を解錠する工夫もなされているが、通行者の権限によっては常に複数人の認証が必要であるのは冗長であったり、部外者を通行させるために誰かが同行しなければならない、退室まで待機していなければならない、複数人の通行履歴は全員が同一の操作を表わしているなど、適用できる事例の範囲が限定的であった。
さらに、従来技術でも、インターフォンや電話などにより、外部との映像を含む通信によって相手を確認し、内部から解錠し通行させることも実施されている場合がある。しかし、この場合には、通行権限がない者からの呼出しであっても室内の者は応じて断る必要があり煩雑であった。そして、外部の者を入室させるかどうかの判断は相手の自己申告による情報であったり、申告内容が正しいかを設定端末などを操作して探し出す必要があった。さらにまた、部外者と共謀して室内に入れた場合であってもその記録が残らず内部の共犯者を特定することが困難であった。
【０００６】
この発明は、所定の許可操作に基づいて通行管理を的確に遂行できる出入管理装置を得ようとするものである。
【課題を解決するための手段】
【０００７】
この発明に係る出入管理装置においては、施錠部分の通行に所定の権限を持つ許可権者の許可を要する通行許可対象個体を個体情報の識別により特定する特定手段による特定結果を前記許可権者に報知する報知手段を設け、前記許可権者の許可操作によって前記通行許可対象個体の通行を可能とする解錠動作を行うようにしたものである。
【発明の効果】
【０００８】
この発明によれば、所定の許可操作に基づいて通行管理を的確に遂行できる出入管理装置を得ることができる。
【発明を実施するための最良の形態】
【０００９】
実施の形態１．
この発明による実施の形態１を図１から図６までについて説明する。図１は実施の形態１におけるシステム構成を示すブロック図である。図２は実施の形態１における個人情報を示す説明図である。図３は実施の形態１における出入制御装置の入室側処理の手順を示すフロー図である。図４は実施の形態１における出入制御装置の退室側処理の手順を示すフロー図である。図５は実施の形態１における個人情報表示用設定端末の個人情報を表示する手順を示すフロー図である。図６は実施の形態１における通行履歴を示す説明図である。
【００１０】
システム構成を示す図１において、カード読取装置１１１や電気錠１１２を制御し個人認証を行う出入制御装置１１０と、通行の条件を設定したり通行の履歴や警報の履歴を収集するための設定画面を備えた設定端末１０１がネットワークにより接続されている。
一般的に、出入制御装置１１０はマイコンをベースにしたコントローラで実現され、設定端末１０１はパソコンやワークステーションで実現される。出入制御装置１１０は扉の数や運用形態により１台から複数台接続される。
管理者は設定端末１０１により個人の情報を設定したり、個人に対する各扉の通行可否を指定する通行権限を設定する。ここで設定された各種の情報は出入制御装置１１０に送られる。
【００１１】
一方、出入制御装置１１０では、扉ごとのカード読取装置１１１が操作されたときにカード情報を読み取って、カード情報から個人を特定する。
特定された個人が当該扉を通行する権限を与えられていれば、電気錠１１２の解錠信号を出力し、通行者によって扉が開／閉された後、施錠する。同時に、このとき特定された個人の識別子と扉の識別子とあわせて通行履歴として蓄える。
特定した個人に当該扉を通行する権限が与えられていない場合には、電気錠１１２に解錠信号を出力しないので、その者は扉を通行することができない。
管理者は、設定端末１０１を操作して出入制御装置１１０に蓄えられている通行履歴を参照し、必要に応じて、より大容量の記憶装置に蓄えることで統計データとして使用することができる。
【００１２】
このように、出入制御装置１１０は、カード読取装置１１１に読み込まれたカード情報により個人識別情報を参照して個人を識別しカード読取装置１１１と協動して認証処理を行う認証手段ＤＭと、認証手段ＤＭによって識別された個人の通行可否を判別する判別処理を行う管理手段ＭＭと、扉等の施錠部分の通行に所定の権限を持つ許可権者の許可を要する通行許可対象個人を個人情報の識別により区別して特定する特定区分処理を行う特定手段ＰＭと、許可権者の許可操作によって通行許可対象個人の通行を可能とするように電気錠１１２，１１４の解錠動作を行う制御手段ＣＭとを構成している。
【００１３】
出入制御装置１１０には、入室側のカード読取り装置１１１および電気錠１１２と、退室側カード読取り装置１１３および電気錠１１４と、外部機器１１５が接続されている。外部機器１１５は音声再生装置や電光掲示板など在室者に知らせることができる装置が接続される。
【００１４】
退室側カード読取装置１１３には、部外者以外、つまり、部内者自身が退室するための操作を指示するボタン、室外の部外者が入室要求している場合に入室を許可するためのボタン、室内の部外者が退室要求している場合に退室を許可するためのボタンが設けられている。室内の在室者がカード読取装置１１３でカードを認証させるためには、まず、このボタンのいずれかを操作しなければならない。部外者が退室する場合には退室ボタンを操作するものとする。
【００１５】
設定端末１０１には図２に示す新たな個人情報を設定できる画面を設ける。この例では説明を簡単にするために特別な個人を区別するために個人情報に部外者フラグ２０１を設けている。このフラグが１に設定されている者は自身の認証結果だけでは電気錠を解錠することができず、このフラグが０に設定されている者は自身の認証結果だけで電気錠を解錠できると共に、フラグが１に設定されている者の操作とあわせて電気錠を解錠する操作を行うことができるものとする。
管理者は個人情報を登録するときに設定端末１０１を操作して個人ごとに適切な設定を行う。
【００１６】
出入制御装置１１０が認証して特定した個人情報で部外者フラグ２０１（図２参照）が１に設定されている場合には、個人情報表示用設定端末１０２に、当該個人の情報が表示される。この情報は顔写真であったり、生年月日などの詳細な個人情報である。
【００１７】
図３は出入制御装置１１０における入室側（外から中へ）のカード読取から始まる出入制御の流れ図である。
【００１８】
図４は出入制御装置１１０における退室側（中から外へ）のカード読取から始まる出入制御の流れ図である。
出入制御装置１１０で入室側のカード読取装置１１１から読み取ったカード情報により、特別に区別される個人が特定できた場合には、そのことを個人情報表示用設定端末１０２に通知する。個人情報表示用設定端末１０２には、この通知に一致する個人情報が表示される。
【００１９】
図５は個人情報表示用設定端末１０２における出入制御装置１１０からの個人の情報表示通知処理の流れ図である。
【００２０】
図６は通行履歴として記録される情報の例である。この発明での特徴は室内操作者６０２が記録されている点である。個人番号６０１で示された個人が部外者であった場合には室内操作者６０２に記録された個人番号を持つものによって解錠操作されたことが記録される。
【００２１】
次に、入室側の処理内容について図３を用いて説明する。
出入制御装置１１０（図１参照）は、カード読取装置１１１（図１参照）が操作されたことを検出する（ステップＳ３０１）と、読み取ったカード情報を基に管理情報を参照して個人情報を検索する（ステップＳ３０２）。管理情報として登録された個人情報に、この個人が見つからなければカード読取装置１１１にエラーを表示（ステップＳ３２０）し、再度カード読取装置１１１が操作されるのを待つ。
【００２２】
カード情報に該当する個人情報が管理情報として登録されており、その個人に通行権限が設定されている場合には、部外者であるかどうかを個人情報中の部外者フラグ２０１（図２参照）によって判断する（ステップＳ３０４）。
【００２３】
部外者でない、つまり、部内者の場合には電気錠１１２（図１参照）が解錠される（ステップＳ３０５）。扉が開けられ（ステップＳ３０６）、次に、扉が閉められる（ステップＳ３０７）と、電気錠１１２が施錠され（ステップＳ３０８）、通行履歴が記録される（ステップＳ３０９）。
ステップＳ３０６において、扉が開けられない状態が所定時間継続しタイムアウトとなると、電気錠１１２は施錠される（ステップＳ３１０）。
ステップＳ３０７において、扉が開けられたまま閉められない状態が所定時間継続しタイムアウトとなると、電気錠１１２は施錠され（ステップＳ３１１）、警報が発報されて（ステップＳ３１２）、異常状態が発生した旨の通行履歴が記録され（ステップＳ３１３）、カード読取装置１１１にエラー表示が行われる（ステップＳ３２０）。
ただし、ステップＳ３０９での通行履歴記録については、部内者であることから図６に示す通行履歴は個人番号６０１が０００３の者で示すように室内操作者６０２欄が設定されない。
【００２４】
部外者の場合には、外部機器１１５（図１参照）に出力することによって室内の在室者に部外者の操作があったことを音声再生や電光掲示による表示によって知らせる（ステップＳ３１４）。その後、退室側処理が部外者を入室させるための処理を開始させることができるように部外者入室要求を退室側処理に要求する（ステップＳ３１５）。その後、個人情報表示用設定端末１０２（図１参照）に個人情報を表示するための通知を行う（ステップＳ３１６）。その後、退室側処理での部外者入室操作が行われるのを待つ（ステップＳ３１７）。この待ち時間はあらかじめ設定されており、一定時間を超過すれば、カード読取装置１１１にエラーを表示（ステップＳ３２０）し、再度カード読取装置１１１が操作されるのを待つ。
【００２５】
時間内に部外者入室操作が行われた場合には、ステップＳ３０５〜Ｓ３１４の処理については基本的に上述した部内者の場合と同様である。
ただし、ステップＳ３０９での通行履歴記録については、ステップＳ３４１８によって室内操作者が記憶されているため、図６に示す通行履歴は個人番号６０１が０００１の者で示すように室内操作者６０２欄が設定される。通行履歴を記録したら記憶しておいた室内操作者の個人番号は破棄する。
【００２６】
さらに、退室側の処理内容について図４を用いて説明する。
出入制御装置１１０（図１参照）において、カード読取装置１１３（図１参照）が操作されたことを検出する（ステップＳ４０１）と、カード読取装置１１３上に設けられた操作ボタンの操作内容を判定する（ステップＳ４０２）。操作されたボタンが部内者の退室ボタンであれば、操作内容を退室として記憶する（ステップＳ４０３）。
【００２７】
操作されたボタンが部外者の退室を許可するボタンであれば、部外者の退室要求が存在しているかを確認する（ステップＳ４０４）。
退室要求がなければカード読取装置１１３にエラーを表示（ステップＳ４２９）し、再度カード読取装置１１３が操作されるのを待つ。退室要求があれば、操作内容を退室として記憶する（ステップＳ４０５）。
操作されたボタンが部外者の入室を許可するボタンであれば、部外者の入室要求が存在しているかを確認する（ステップＳ４０６）。入室要求がなければカード読取装置１１３にエラーを表示（ステップＳ４２９）し、再度カード読取装置１１１が操作されるのを待つ。入室要求があれば、操作内容を入室として記憶する（ステップＳ４０７）。
なお、部外者の退室要求は部外者が退室側カード読取装置１１３を操作した場合に図４の手順（ステップＳ４２５）で発生するものであり、部外者の入室要求は部外者が入室側カード読取装置１１１を操作した場合に図３の手順（ステップＳ３１５）で発生するものである。
【００２８】
その後、読み取ったカードの情報から個人情報を検索する（ステップＳ４０８）。この個人が見つからなければカード読取装置１１３にエラーを表示（ステップＳ４２９）し、再度カード読取装置１１１，１１３が操作されるのを待つ。
個人情報が見つかった場合には、当該個人がカード読取装置１１３の設置された扉を通行可能であるか通行権限を確認する（ステップＳ４０９）。通行権限が設定されていない場合にはカード読取装置１１３にエラーを表示（ステップＳ４２９）し、再度カード読取装置１１１，１１３が操作されるのを待つ。
通行権限が設定されている場合には、部外者であるかを個人情報中の部外者フラグ２０１（図２参照）によって判断する（ステップＳ４１０）。
【００２９】
部外者でない、つまり、部内者の場合には操作内容を確認（ステップＳ４１１）し、退室操作であれば、電気錠１１４（図１参照）が解錠される（ステップＳ４１２）。扉が開けられ（ステップＳ４１３）、次に、扉が閉められる（ステップＳ４１４）と、電気錠１１４が施錠され（ステップＳ４１５）、通行履歴が記録される（ステップＳ４１６）。
ステップＳ４１３において、扉が開けられない状態が所定時間継続しタイムアウトとなると、電気錠１１４は施錠される（ステップＳ４２０）。
ステップＳ４１４において、扉が開けられたまま閉められない状態が所定時間継続しタイムアウトとなると、電気錠１１４は施錠され（ステップＳ４１７）、警報が発報されて（ステップＳ４１８）、異常状態が発生した旨の通行履歴が記録され（ステップＳ４１９）、カード読取装置１１３にエラー表示が行われる（ステップＳ４２９）。
ただし、ステップＳ４１６での通行履歴記録については部内者であることから図６に示す通行履歴は個人番号６０１が０００６の者で示すように室内操作者６０２欄が設定されない。
【００３０】
操作内容が部外者入室の場合には、当該操作者を室内操作者として部外者入室要求に応答する（ステップＳ４２１）。この応答によって図３の手順（ステップＳ３１７）は「あり」を判断することができる。
操作内容が部外者退室の場合には、当該操作者を室内操作者として部外者退室要求に応答する（ステップＳ４２２）。この応答によって図４の手順（ステップＳ４２６）は「あり」を判断することができる。
ステップＳ４１０で当該操作者が部外者であった場合には、操作内容を確認（ステップＳ４２３）し、部外者自身の退室操作以外、つまり、部外者は部外者の入室／退室を許可することはできないためカード読取装置１１３にエラーを表示（ステップＳ４２９）し、カード読取装置１１１，１１３が再度操作されるのを待つ。
【００３１】
退室操作であった場合には、外部機器２１５に出力することによって室内の在室者に部外者の操作があったことを知らせる（ステップＳ４２４）。その後、退室側処理が部外者を退室させるための処理を開始させることができるように部外者退室要求を退室側処理に要求する（ステップＳ４２５）。その後、退室側処理での部外者退室操作が行われるのを待つ（ステップＳ４２６）。この待ち中には新たに退室処理ステップＳ４０１から再入可能になっている必要がある。また、この待ち時間はあらかじめ設定されており、一定時間を超過すれば、再入状態から復帰して、カード読取装置１１３にエラーを表示（ステップＳ４２９）し、カード読取装置１１３が再度操作されるのを待つ。
【００３２】
時間内に部外者退室操作が行われた場合には、室内操作者の個人番号を記憶（ステップＳ４２７）しておき、ステップＳ４１２〜４２０の処理によって電気錠制御、通行履歴の記録が行われる。この処理については基本的に上述した部内者の場合と同様である。
ただし、ステップＳ４１６での通行履歴記録については、ステップＳ４２７によって室内操作者が記憶されているため、図６に示す通行履歴は個人番号６０１が０００４の者で示すように室内操作者６０２欄が設定される。通行履歴を記録したら記憶しておいた室内操作者の個人番号は破棄する。
【００３３】
以下では、個人情報表示用設定端末１０２（図１参照）の処理内容について、図５を用いて説明する。
出入制御装置１１０（図１参照）の入室側の処理（図３参照）により、部外者が入室操作を行うと、図３のステップＳ３１６で、そのことが個人番号によって通知される。この通知を検出する（ステップＳ５０１）と、個人情報を検索する（ステップＳ５０２）。
このとき、個人番号が存在しないことは通常考えられないが、個人番号が存在しなければ、実際上は次の処理に問題が生じないよう、この通知を読み捨てて再度通知を待つ。
個人情報が見つかった場合には、現在個人情報を表示中であるか判断する（ステップＳ５０３）。現在表示中であれば、表示している画面の内容を通知された個人情報で再描画する（ステップＳ５０４）。非表示中であれば、新規に画面を生成して通知された個人情報で描画する（ステップＳ５０５）。
その後、操作者の画面非表示操作の確認（ステップＳ５０６）と、出入制御装置１１０の入室側の処理（図３参照）からの通知の確認（ステップＳ５０７）を繰り返す。非表示操作があれば、個人情報を表示している画面を消去（ステップＳ５０８）して再び出入制御装置１１０の入室側の処理（図３参照）からの通知を待つ。
出入制御装置１１０の入室側の処理（図３参照）からの通知が確認できれば、個人情報を検索する手順（ステップＳ５０２）以降を実施する。
【００３４】
なお、上記説明では個人情報に新たに部外者フラグ２０１（図２参照）を追加することで、この発明の対象となる者を区別できるようにしているが、個人情報は既存のものであってもよい。この場合には、例えば、既存の個人情報に含まれている所属番号の番号体系を整理することで９から始まる所属番号を部外者用と限定できれば、上記の例で用いた部外者フラグ２０１を追加する必要はない。
【００３５】
また、ステップＳ３１５およびステップＳ４２２における出入管理装置の要求手段については、同一の出入制御装置に接続された入室側処理、退室側処理であれば、双方で参照可能な共通メモリ領域などによる要求フラグ形式が考えられる。別々の出入制御装置に接続された入室側処理，退室側処理であれば、ネットワークを介した要求，完了通信を行うことも考えられる。
【００３６】
また、上記説明では個人を特定するためにカードを使用しているが、指紋、網膜などその他の認証手段であってもかまわない。認証手段による認証率の差は、この発明の有効性には影響しない。
【００３７】
また、このような入退室処理を行う部屋は特別であると考えられるため、扉の付属情報処理手段として上記実施の形態における入退室処理を有効にするか無効にするかを設定できるようにすることで、セキュリティレベルの低い部屋では従来どおり認証結果のみで電気錠を解錠することもできる。
【００３８】
また、上記説明では特別な種別として部外者を例にしているが、管理者と一般者のように職制上の権限者が入退室を許可することも考えられる。
【００３９】
また、上記実施の形態では個人情報表示用設定端末は１台のみであるが、扉と対応づけて複数設けることも可能である。この場合、各扉の付属情報にはどの個人情報表示用設定端末に通知すべきかを設定できるようにする。
【００４０】
また、上記説明では個人情報表示用設定端末に表示された個人情報は画面操作者によって非表示されることになっているが、室内の在室者が入室を許可する操作をした時点でその情報は不要になるため、この操作によって自動的に画面が消去されるようにすることもできる。
【００４１】
この発明は、以上説明したように構成されているので、以下に記載されるような効果を奏する。
【００４２】
特別に区別された個人では入室のための認証操作が成功しても扉が開かず、室内の在室者が確認した上でその者を入室させることができる。
室内の在室者に外部での操作が知らされたときには正規の認証手段を通過したものであるため、明らかに通行する権限がない者による操作では室内の在室者が煩わされることはない。
【００４３】
特別に区別された個人では退室のための認証操作が成功しても扉が開かず、室内の在室者が確認した上でその者を退室させることができる。この時、持ち出し物を確認することができる。
【００４４】
特別に区別された個人が通行した履歴にはその通行を許可した室内の在室者もあわせて記録されるため、特別に区別された個人が通行に至った状況を検証することが容易になる。
【００４５】
特別に区別された個人の個人情報が自動的に表示されることで容易に参照できるため、室内から室外を確認できる手段、例えば、カメラ付きのインターフォンなどによって、表示された顔写真と見比べたり詳細な個人情報の問答によって本人を確認することで、より安心して通行させることが可能になる。
【００４６】
この発明に係る出入管理装置においては、個人を管理する情報で特別であることが区別できる手段を設ける。入室のために読み取ったカード情報から特定された個人が特別に区別された場合には、通行権限が設定されていても電気錠を解錠せず、代わりに室内の在室者に知らせる手段によって在室者に連絡する。これに気付いた在室者が、外部の者を入室する許可を与える手段を操作することで、電気錠を解錠し、先の特別に区別された個人が通行可能となる。
【００４７】
また、退室のために読み取ったカード情報から特定された個人が特別に区別された場合には、通行権限が設定されていても電気錠を解錠せず、代わりに室内の在室者に知らせる手段によって在室者に連絡する。これに気付いた在室者が、室内の特別に区別された者を退室する許可を与える手段を操作することで、電気錠を解錠し、先の特別に区別された個人が通行可能となる。
特別に区別された個人の操作によって室内の在室者が許可したこと、つまり、実際にはこの操作者は通行していないが扉を開ける許可を与えた操作者によって、電気錠が解錠された結果、解錠を待っていた特別な種別が設定された個人が通行したとみなし、特別に区別された個人の通行履歴と、許可した者の情報をあわせて記録する手段を設けたものである。
【００４８】
さらに、入室のために読み取ったカード情報から特定された個人が特別に区別された場合に、通行権限が設定されているときは、自動的に当該個人の情報を表示できる手段を設けたことで、室内から室外を確認できる手段で得た実体の情報、例えば、顔などの容貌や、生年月日などの質問に対する答えなどと、表示された情報を比較して本人であることを確認することが容易にできるようにしたものである。
【００４９】
この発明による実施の形態１によれば、ビルやその他の建物における扉等の電気錠１１２，１１４による施錠部分の通行に所定の権限を持つ在室者等の許可権者の許可を要する部外者等の通行許可対象個体をカード識別による個体情報の識別により特定するための特定区分処理を行うカード読込装置１１１，１１３および出入制御装置１１０からなる特定手段ＰＭを備え、前記カード読込装置１１１，１１３および出入制御装置１１０からなる特定手段ＰＭによる特定結果を前記室内操作者等の許可権者に報知する音声再生装置や電光掲示板で構成される外部機器１１５からなる報知手段を設けるとともに、出入制御装置１１０からなる制御手段ＣＭにより、前記在室者等の許可権者の許可操作によって前記通行許可対象個体の通行を可能とするよう前記電気錠１１２，１１４による施錠部分の解錠動作を行うようにしたので、所定の権限を持つ在室者等の許可権者の許可操作に基づいて通行管理を的確に遂行できる出入管理装置を得ることができる。
【００５０】
また、この発明による実施の形態によれば、室外に設けられ個人情報等の個体情報を参照して個人や物などの個体を識別するカード読込装置１１１，１１３および出入制御装置１１０からなる認証手段ＤＭと、前記カード読込装置１１１，１１３および出入制御装置１１０からなる認証手段による認証によって識別された個体の通行可否を判別する出入制御装置１１０からなる管理手段ＭＭと、前記管理手段ＭＭの判別結果に応じて入室を可能とする電気錠１１２を制御する出入制御装置１１０からなる制御手段ＣＭと、前記カード読込装置１１１，１１３および出入制御装置１１０からなる認証手段ＤＭによって個体情報の参照により入室しようとする特定の個体を区別する特定区分処理を行うカード読込装置１１１，１１３および出入制御装置１１０からなる特定手段ＰＭとを備え、区別された個体については前記特定の個体に関する特定識別結果を報知する報知手段によって所定の在室者に報知する音声再生装置や電光掲示板で構成される外部機器１１５からなる報知手段を設けるとともに、前記出入制御装置１１０からなる制御手段ＣＭにより、前記在室者等の許可権者の許可操作によって前記通行許可対象個体の通行を可能とするよう前記電気錠１１２，１１４による施錠部分の解錠動作を行うようにしたので、所定の権限を持つ在室者等の許可権者の許可操作に基づいて入室管理を的確に遂行できる出入管理装置を得ることができる。
【００５１】
さらに、この発明による実施の形態によれば、室内に設けられ個人情報等の個体情報を参照して個人や物などの個体を識別するカード読込装置１１１，１１３および出入制御装置１１０からなる認証手段ＤＭと、前記カード読込装置１１１，１１３および出入制御装置１１０からなる認証手段ＤＭによる認証によって識別された個体の通行可否を判別する出入制御装置１１０からなる管理手段ＭＭと、前記出入制御装置１１０からなる管理手段ＭＭの判別結果に応じて退室を可能とする電気錠１１４を制御する出入制御装置１１０からなる制御手段ＣＭと、前記カード読込装置１１１，１１３および出入制御装置１１０からなる認証手段によって個体情報の参照により退室しようとする特定の個体を区別する特定区分処理を行うカード読込装置１１１，１１３および出入制御装置１１０からなる特定手段ＰＭとを備え、前記カード読込装置１１１，１１３および出入制御装置１１０からなる特定手段ＰＭにより区別された個体については前記特定の個体に関する特定結果を所定の在室者に報知する音声再生装置や電光掲示板で構成される外部機器１１５からなる報知手段を設けるるとともに、前記出入制御装置１１０からなる制御手段ＣＭにより、前記在室者等の許可権者の許可操作によって前記通行許可対象個体の通行を可能とするよう前記電気錠１１２，１１４による施錠部分の解錠動作を行うようにしたので、所定の権限を持つ在室者等の許可権者の許可操作に基づいて退室管理を的確に遂行できる出入管理装置を得ることができる。
【００５２】
そして、前３項の構成におけるいずれかの構成において、この発明による実施の形態によれば、前記特定された個体について所定の在室者が許可操作したことを履歴に記録する履歴記録手段を設けたので、所定の権限を持つ在室者等の許可権者の許可操作に基づいて通行管理を的確に遂行できるとともに、通行履歴および許可操作履歴を適切に記録できる出入管理装置を得ることができる。
【図面の簡単な説明】
【００５３】
【図１】この発明による実施の形態におけるシステム構成を示すブロック図である。
【図２】この発明による実施の形態における個人情報を示す説明図である。
【図３】この発明による実施の形態における出入制御装置の入室側処理の手順を示すフロー図である。
【図４】この発明による実施の形態における出入制御装置の退室側処理の手順を示すフロー図である。
【図５】この発明による実施の形態における個人情報表示用設定端末の個人情報を表示する手順を示すフロー図である。
【図６】この発明による実施の形態における通行履歴を示す説明図である。
【符号の説明】
【００５４】
１０１  設定端末、１０２  個人情報表示用設定端末、１１０  出入制御装置、１１１  カード読取装置、１１２  電気錠、１１３  カード読取装置、１１４  電気錠、１１５  外部機器。
【図１】
2006177084.tif 000003
【図２】
2006177084.tif 000004
【図３】
2006177084.tif 000005
【図４】
2006177084.tif 000006
【図５】
2006177084.tif 000007
【図６】
2006177084.tif 000008